(57)【要約】【課題】発泡部材上で液体が固化しても、この固形物を容易に除去することができる。【解決手段】押下ヘッド２に、内側にノズル孔２１と気液混合室３とを連通する連通路３６が形成された保持筒３７が着脱自在に装着され、連通路３６内に発泡部材６０が配設され、保持筒３７には、押下ヘッド２の外部に露呈するつまみ片３８が形成されている。【選択図】図１
2015009839.tif 000002
【特許請求の範囲】
【請求項１】
液体が収容された容器本体の口部に上方付勢状態で下方移動可能に立設されるステムと、
前記ステムの上端部に配設されノズル孔が形成された押下ヘッドと、
前記ステムに連係する液用ピストンと、
該液用ピストンが内部に上下摺動自在に収容された液用シリンダと、
前記ステムに連係する空気用ピストンと、
該空気用ピストンが内部に上下摺動自在に収容された空気用シリンダと、
前記液用シリンダからの液体と前記空気用シリンダからの空気とを混合する気液混合室と、
前記気液混合室と前記ノズル孔との間に配設され、前記気液混合室からの気液混合体を発泡する発泡部材と、を備えるフォーマポンプであって、
前記押下ヘッドには、内側に前記ノズル孔と前記気液混合室とを連通する連通路が形成された保持筒が着脱自在に装着され、
前記連通路内に前記発泡部材が配設され、
前記保持筒には、前記押下ヘッドの外部に露呈するつまみ片が形成されていることを特徴とするフォーマポンプ。
【請求項２】
請求項１記載のフォーマポンプであって、
前記保持筒は上下方向に沿って延設され、前記つまみ片は前記押下ヘッドの頂壁部上に配設され、前記発泡部材は、前記保持筒内の下端部に配設されていることを特徴とするフォーマポンプ。
【請求項３】
請求項１または２に記載のフォーマポンプであって、
前記保持筒はその軸線回りに回転自在に配設され、この保持筒には、その軸線に直交する径方向に開口し、かつ前記ノズル孔に対向するとともに、前記連通路内と前記ノズル孔とを連通する連通開口が形成されていることを特徴とするフォーマポンプ。
【請求項４】
請求項１から３のいずれか１項に記載のフォーマポンプであって、
前記発泡部材は、前記保持筒の連通路内に着脱自在に配設されていることを特徴とするフォーマポンプ。
【発明の詳細な説明】
【技術分野】
【０００１】
本発明は、フォーマポンプに関するものである。
【背景技術】
【０００２】
従来から、例えば下記特許文献１に示されるような、液体が収容された容器本体の口部に上方付勢状態で下方移動可能に立設されるステムと、前記ステムの上端部に配設されノズル孔が形成された押下ヘッドと、前記ステムに連係する液用ピストンと、該液用ピストンが内部に上下摺動自在に収容された液用シリンダと、前記ステムに連係する空気用ピストンと、該空気用ピストンが内部に上下摺動自在に収容された空気用シリンダと、前記液用シリンダからの液体と前記空気用シリンダからの空気とを混合する気液混合室と、前記気液混合室と前記ノズル孔との間に配設され、前記気液混合室からの気液混合体を発泡する発泡部材と、を備えるフォーマポンプが知られている。
【先行技術文献】
【特許文献】
【０００３】
【特許文献１】特開２００５−１３９４５号公報
【発明の概要】
【発明が解決しようとする課題】
【０００４】
しかしながら、前記従来のフォーマポンプでは、使用の過程で、発泡部材上で液体が固化するなどして、気液混合室からの気液混合体を所期した泡質で発泡させることができなくなることがあった。
【０００５】
本発明は、このような事情を考慮してなされたもので、発泡部材上で液体が固化しても、この固形物を容易に除去することができるフォーマポンプを提供することを目的とする。
【課題を解決するための手段】
【０００６】
上記課題を解決して、このような目的を達成するために、本発明のフォーマポンプは、液体が収容された容器本体の口部に上方付勢状態で下方移動可能に立設されるステムと、前記ステムの上端部に配設されノズル孔が形成された押下ヘッドと、前記ステムに連係する液用ピストンと、該液用ピストンが内部に上下摺動自在に収容された液用シリンダと、前記ステムに連係する空気用ピストンと、該空気用ピストンが内部に上下摺動自在に収容された空気用シリンダと、前記液用シリンダからの液体と前記空気用シリンダからの空気とを混合する気液混合室と、前記気液混合室と前記ノズル孔との間に配設され、前記気液混合室からの気液混合体を発泡する発泡部材と、を備えるフォーマポンプであって、前記押下ヘッドには、内側に前記ノズル孔と前記気液混合室とを連通する連通路が形成された保持筒が着脱自在に装着され、前記連通路内に前記発泡部材が配設され、前記保持筒には、前記押下ヘッドの外部に露呈するつまみ片が形成されていることを特徴とする。
【０００７】
この発明によれば、内側に発泡部材の配設された保持筒が、押下ヘッドに着脱自在に装着されるとともに、保持筒につまみ片が形成されているので、つまみ片を操作することで、保持筒を発泡部材とともに押下ヘッドから取り外すことができる。これにより、発泡部材を容易に洗浄することが可能になり、例えば発泡部材上で固化した液体を除去することで、所期した泡質の泡体を長期にわたって吐出することができる。
【０００８】
ここで、前記保持筒は上下方向に沿って延設され、前記つまみ片は前記押下ヘッドの頂壁部上に配設され、前記発泡部材は、前記保持筒内の下端部に配設されてもよい。
【０００９】
この場合、保持筒が上下方向に沿って延設されているので、気液混合体や泡体をノズル孔側に向けて円滑に流すことができ、また、つまみ片が押下ヘッドの頂壁部上に配設されているので、つまみ片を押下ヘッドの外部に露呈させたことによる見映えの悪化を防ぐことができ、さらに、発泡部材が、保持筒内の下端部に配設されているので、保持筒を押下ヘッドから取り外したときに、発泡部材を外部に露呈させることが可能になり、発泡部材を容易かつ確実に洗浄することができる。
【００１０】
また、前記保持筒はその軸線回りに回転自在に配設され、この保持筒には、その軸線に直交する径方向に開口し、かつ前記ノズル孔に対向するとともに、前記連通路内と前記ノズル孔とを連通する連通開口が形成されてもよい。
【００１１】
この場合、保持筒をその軸線回りに回転させ、連通開口及びノズル孔それぞれの、前記軸線回りの位置を互いにずらすことにより、ノズル孔から流入した外気を発泡部材に当たりにくくすることが可能になり、発泡部材上で液体が固化するのを抑制することができる。
【００１２】
また、前記発泡部材は、前記保持筒の連通路内に着脱自在に配設されてもよい。
【００１３】
この場合、発泡部材を保持筒から取り外して単独で洗浄することができる。
【発明の効果】
【００１４】
本発明によれば、発泡部材上で液体が固化しても、この固形物を容易に除去することができる。
【図面の簡単な説明】
【００１５】
【図１】本発明に係る一実施形態として示したフォーマポンプの縦断面図である。
【図２】図１に示すフォーマポンプの上面図である。
【図３】図１及び図２に示すフォーマポンプの保持筒の半縦断面図である。
【発明を実施するための形態】
【００１６】
以下、図面を参照し、本発明の一実施形態に係るフォーマポンプ１について説明する。
本実施形態のフォーマポンプ１は、図１に示されるように、液体が収容された容器本体Ｗの口部Ｗ１に装着される装着キャップ３０と、装着キャップ３０内に挿通されたステム１０と、ステム１０に装着された押下ヘッド２と、を備えている。装着キャップ３０及び押下ヘッド２はそれぞれ有頂筒状に形成されている。
そして、装着キャップ３０、ステム１０及び押下ヘッド２はそれぞれ、共通軸上に配設されている。以下、この共通軸を軸線Ｏといい、軸線Ｏ方向に沿う押下ヘッド２側を上側といい、その反対側を下側という。また、軸線Ｏに直交する方向を径方向といい、軸線Ｏ回りに周回する方向を周方向という。また、軸線Ｏ方向に沿う方向を上下方向という。
【００１７】
装着キャップ３０は、挿通孔３１が形成された天壁部３２と、天壁部３２の外周縁から下方に向けて延設された装着周壁部３３と、天壁部３２における挿通孔３１の外周縁部から上方に向けて延設されたガイド筒部３４と、を備えている。装着周壁部３３の内周面には、容器本体Ｗの口部Ｗ１に螺着する雌ねじ部が形成されている。
ステム１０は、容器本体Ｗの口部Ｗ１に上方付勢状態で下方移動可能に立設され、押下ヘッド２は、ステム１０の上端部に配設されている。
【００１８】
押下ヘッド２は、軸線Ｏと同軸に配設された円板状の頂壁部２５と、頂壁部２５から下方に向けて延設され内部にステム１０の上端部が嵌合された内筒部２２と、頂壁部２５から下方に向けて延設され内筒部２２をその径方向外方から囲繞する外筒部２３と、内筒部２２の上端部から径方向の外側に向けて突出し、その先端部にノズル孔２１が形成されたノズル筒部２４と、を備えている。ノズル筒部２４は、外筒部２３から径方向の外側に突出し、かつその内部は内筒部２２内に連通している。
内筒部２２は、装着キャップ３０のガイド筒部３４の内側に上下動自在に挿入されている。外筒部２３の内径は、ガイド筒部３４の外径よりも大きくなっており、押下ヘッド２の押下時に、ガイド筒部３４が外筒部２３内に進入するようになっている。
内筒部２２の下端部は、外筒部２３の下端部より下方に突出している。この内筒部２２の下端部内にステム１０の上端部が嵌合されている。内筒部２２の下端部からステム１０が下方に突出している。ステム１０の上端部が嵌合された、内筒部２２の下端部の内周面には、上下方向に延在し、かつ下方に開口した複数の縦溝２２ａが形成されている。
【００１９】
ステム１０の上端部内には、嵌合筒２８が嵌合されている。嵌合筒２８の上端部には、ステム１０の上端開口縁上に配置されるフランジ部が形成されている。この嵌合筒２８の外周面及びフランジ部の下面には、ステム１０の上端部内と押下ヘッド２の縦溝２２ａとを連通する複数の連通溝２８ａが形成されている。ステム１０の内周面には、環状の弁座１２が突設されており、この弁座１２に着座及び離反可能に球状の液吐出弁１３が設けられている。図示の例では、弁座１２及び液吐出弁１３は、ステム１０の上端部内における嵌合筒２８の直下に配設されている。
【００２０】
さらに本実施形態では、フォーマポンプ１が、ステム１０に連係する液用ピストン５０と、液用ピストン５０が内部に上下摺動自在に収容された液用シリンダ１６と、ステム１０に連係する空気用ピストン４０と、空気用ピストン４０が内部に上下摺動自在に収容された空気用シリンダ１５と、液用シリンダ１６からの液体と空気用シリンダ１５からの空気とを混合する気液混合室３と、気液混合室３とノズル孔２１との間に配設され、気液混合室３からの気液混合体を発泡する発泡部材６０と、を備えている。
【００２１】
空気用シリンダ１５は有底筒状に形成されるとともに、液用シリンダ１６は筒状に形成されていて、これらの両シリンダ１５、１６が、軸線Ｏと同軸に配設されている。
空気用シリンダ１５の上端開口部は、装着キャップ３０の内面によりシールされている。液用シリンダ１６は、空気用シリンダ１５の底部から下方に向けて延設されている。液用シリンダ１６及び空気用シリンダ１５は一体に形成されている。液用シリンダ１６は、空気用シリンダ１５よりも小径に形成されている。
【００２２】
空気用ピストン４０は、空気用シリンダ１５内に気密状態で上下摺動自在に嵌合された外摺動筒４１と、この外摺動筒４１の内側に配置されステム１０に上下摺動自在に外嵌された内摺動筒４２と、外摺動筒４１の上端部と内摺動筒４２の外周面とを連結し、かつ上下方向に貫通する空気孔４３を有する連結板４４と、内摺動筒４２に外嵌されて上記空気孔４３を開閉する弁体４５と、を備えている。
【００２３】
内摺動筒４２の上端部は、押下ヘッド２の内筒部２２の下端部内に上下摺動自在に嵌合されている。内摺動筒４２の上端縁と内筒部２２の内面との間には、上下方向の隙間Ｓが設けられている。この隙間Ｓに、押下ヘッド２の内筒部２２に形成された縦溝２２ａの下端が開口している。ステム１０の外周面において、空気用ピストン４０の内摺動筒４２が嵌合された部分には、上下方向に延在し、かつ上端が前記隙間Ｓに開口する複数のステム溝１０ａが形成されている。
以上のステム溝１０ａ、前記隙間Ｓ、内筒部２２の縦溝２２ａ、及び嵌合筒２８の連通溝２８ａを通して、空気用シリンダ１５内と、ステム１０の上端部内に形成された気液混合室３と、を連通する空気通路５が構成されている。
なお、気液混合室３は、ステム１０の上端部内において弁座１２の上方に位置する部分となっている。また、空気用ピストン４０の連結板４４の上面と、押下ヘッド２の内筒部２２の下端縁と、の間にも、上下方向の隙間が設けられている。
【００２４】
ここで、ステム１０は、空気用シリンダ１５を上下方向に貫いている。ステム１０のうち、空気用シリンダ１５内に位置する部分には、上面が、空気用ピストン４０の内摺動筒４２の下端縁に当接する突状部１１が全周にわたって延設されている。突状部１１が、空気用シリンダ１５内における空気通路５の開口部を塞いで、空気用シリンダ１５の内部と気液混合室３との連通を遮断している。
【００２５】
次に、液用ピストン５０は、ステム１０内に液密状態で嵌合された上側筒部５１と、ステム１０の下端開口縁から下方に突出し、かつその外周面が液用シリンダ１６内に上下摺動自在に嵌合された下側筒部５２と、を備えている。
この下側筒部５２と、液用シリンダ１６の下端部の内面と、の間に、液用ピストン５０を上方付勢状態で下方移動可能に支持するコイルスプリング４が配設されている。
液用ピストン５０及び液用シリンダ１６の内部には、上端部が液用ピストン５０の上側筒部５１の上端開口部に着座及び離反可能な上部弁体１７ａとされ、かつ下端部が液用シリンダ１６内の下端開口部に着座及び離反可能な下部弁体１７ｂとされた棒状の弁部材１７が設けられている。
【００２６】
そして本実施形態では、図１及び図３に示されるように、押下ヘッド２に、内側にノズル孔２１と気液混合室３とを連通する連通路３６が形成された保持筒３７が着脱自在に装着され、連通路３６内に発泡部材６０が配設されている。
保持筒３７は、有頂筒状に形成されるとともに上下方向に延設されていて、その内部が連通路３６となっている。保持筒３７は前記軸線Ｏと同軸に配設されている。保持筒３７は前記軸線Ｏ回りに回転自在に配設されている。保持筒３７は、押下ヘッド２の内筒部２２内に挿入されている。
【００２７】
図示の例では、保持筒３７における上下方向の中間部の外周面に、押下ヘッド２の内筒部２２の内周面に形成された雌ねじ部に着脱自在に螺合する雄ねじ部が形成されている。これにより、保持筒３７を押下ヘッド２に対して前記軸線Ｏ回りに回転させると、保持筒３７が押下ヘッド２に対して上下動するようになっている。保持筒３７には、径方向に開口し、かつノズル孔２１に対向するとともに、連通路３６内とノズル孔２１とを連通する連通開口３７ａが形成されている。保持筒３７の外周面において、連通開口３７ａを上下方向で挟む両側に位置する部分に、全周にわたって連続して延在し、押下ヘッド２の内筒部２２の内周面に液密に当接するシール突部３７ｂが各別に突設されている。
なお、保持筒３７において、シール突部３７ｂ同士の間に位置する部分を、その上下方向の全長にわたって、外周面がシール突部３７ｂの径方向の外端と面一となるように、肉厚に形成してもよい。この場合、保持筒３７の外周面における連通開口３７ａの開口周縁部が、全周にわたって押下ヘッド２の内筒部２２の内周面に当接する。
【００２８】
保持筒３７の下端開口縁は、嵌合筒２８のフランジ部上に位置しており、嵌合筒２８のフランジ部が、保持筒３７の下端開口縁と、ステム１０の上端開口縁と、により上下方向に挟まれている。保持筒３７内の下端部に発泡部材６０が配設されている。
発泡部材６０は、筒体の開口端縁上に網体が配設されてなる発泡エレメント６０ａが、上下方向に複数連設されて構成されている。図示の例では、発泡部材６０は、２つの発泡エレメント６０ａが上下に２つ連設されて構成されている。２つの発泡エレメント６０ａのうち、上側に位置する発泡エレメント６０ａでは、筒体の両端開口縁のうち上端開口縁にのみ網体が配設され、下側に位置する発泡エレメント６０ａでは、筒体の両端開口縁のうち下端開口縁にのみ網体が配設されている。
【００２９】
発泡部材６０は、保持筒３７の連通路３６内に着脱自在に配設されている。
連通路３６のうち、発泡部材６０が配設された下端部は、下端部より上方に位置する上側部分より内径が大きくなっており、下端部と上側部分との連結部分には段部が形成されている。この段部に発泡部材６０の上端縁が当接している。
【００３０】
保持筒３７には、押下ヘッド２の外部に露呈するつまみ片３８が形成されている。図示の例では、つまみ片３８は、保持筒３７の上端部に径方向の外側に向けて突出し、押下ヘッド２の頂壁部２５上に配設されている。つまみ片３８は円板状に形成され、このつまみ片３８の外周部において、軸線Ｏを径方向に挟む互いに反対となる位置に、図２に示されるような上面視で円弧状を呈する凹欠き部３８ａが各別に形成されている。なお、凹欠き部３８ａは、つまみ片３８の外周部のうち、上面視において、ノズル筒部２４及びノズル孔２１に最も近接する部分から軸線Ｏを中心に約９０°ずれた位置に各別に形成されている。
【００３１】
以上の構成において、押下ヘッド２を押し下げると、まず、ステム１０及び液用ピストン５０が、コイルスプリング４を上下方向に圧縮変形させながら下方に移動する。
この際、空気用ピストン４０は移動せず、空気用ピストン４０における内摺動筒４２の上端縁と、押下ヘッド２における内筒部２２の下端部の内面と、の間の隙間Ｓは小さくなり、また、内摺動筒４２の下端と、ステム１０における突状部１１の上面と、の間に隙間が形成される。これにより、空気通路５を通して空気用シリンダ１５内と気液混合室３内とが連通する。
さらにこの際、液用ピストン５０の下方への移動に伴い、液用ピストン５０の上端部が、弁部材１７の上部弁体１７ａから下方に離反し、液用シリンダ１６内とステム１０内とが連通し、また、弁部材１７の下部弁体１７ｂも下方に移動させられ、この下部弁体１７ｂが液用シリンダ１６内の下端開口部に着座して閉塞する。
【００３２】
そして、さらに押下ヘッド２を押し下げると、空気用ピストン４０も、弁体４５が空気孔４３を閉塞した状態で下方に移動させられることにより、空気用シリンダ１５内において空気用ピストン４０の下方に位置する下室内の空気が圧縮させられる。これにより、この下室内の空気が、空気用ピストン４０における内摺動筒４２の下端と、ステム１０の突状部１１と、の間の隙間から空気通路５内に流入して気液混合室３に移送される。
【００３３】
さらにこの際、弁部材１７の下部弁体１７ｂが、液用シリンダ１６の下端開口部を閉塞した状態で、液用ピストン５０が下方移動するので、液用シリンダ１６内の液体が上昇してステム１０内に到達する。そして、液用シリンダ１６内の液圧を、ステム１０内の液吐出弁１３に作用させ、この液吐出弁１３を弁座１２から上方に離反させることにより、液用シリンダ１６内の液体を気液混合室３内に流入させる。
上述のようにして、気液混合室３内で液体及び空気を合流させ、発泡部材６０を通過させて液体を発泡させた後に、保持筒３７の連通路３６、連通開口３７ａ、及びノズル筒部２４内を通過させノズル孔２１から泡体を吐出させる。
【００３４】
その後、押下ヘッド２の押し下げを解除すると、コイルスプリング４の弾性復元力により液用ピストン５０が上方に押し上げられる。
これにより、液用ピストン５０の上側筒部５１の上端開口部が上部弁体１７ａに当接して、液用シリンダ１６内とステム１０内との連通が遮断されるとともに、下部弁体１７ｂが、液用シリンダ１６内の下端開口部から離反し、容器本体Ｗ内と液用シリンダ１６内とが連通する。
また、このように上昇する液用ピストン５０とともに、ステム１０及び押下ヘッド２が一体的に上昇し、ステム１０の突状部１１が、空気用ピストン４０の内摺動筒４２の下端縁に当接することで、空気通路５を通した前記下室と気液混合室３との連通が遮断される。この状態で、ステム１０及び空気用ピストン４０が一体的に上昇して前記下室の内圧が低下することで、弁体４５が開いて空気孔４３が開放され、前記下室内に外気が吸入される。
【００３５】
以上説明したように、本実施形態によるフォーマポンプ１によれば、内側に発泡部材６０の配設された保持筒３７が、押下ヘッド２に着脱自在に装着されるとともに、保持筒３７につまみ片３８が形成されているので、つまみ片３８を操作することで、図３に示されるように、保持筒３７を発泡部材６０とともに押下ヘッド２から取り外すことができる。これにより、発泡部材６０を容易に洗浄することが可能になり、例えば発泡部材６０上で固化した液体を除去することで、所期した泡質の泡体を長期にわたって吐出することができる。
なお、図示の例では、発泡部材６０が前記網体を備えているので、前述の固化した液体などによって、前記網体が目詰まりするおそれがあり、この場合、所期した泡質の泡体を吐出しにくくなったり、泡体そのものを吐出することができなくなったりする。
【００３６】
また、保持筒３７が上下方向に沿って延設されているので、気液混合体や泡体をノズル孔２１側に向けて円滑に流すことができ、また、つまみ片３８が押下ヘッド２の頂壁部２５上に配設されているので、つまみ片３８を押下ヘッド２の外部に露呈させたことによる見映えの悪化を防ぐことができ、さらに、発泡部材６０が、保持筒３７内の下端部に配設されているので、保持筒３７を押下ヘッド２から取り外したときに、発泡部材６０を外部に露呈させることが可能になり、発泡部材６０を容易かつ確実に洗浄することができる。
【００３７】
また、保持筒３７が前記軸線Ｏ回りに回転自在に配設され、この保持筒３７に、径方向に開口し、かつ連通路３６内とノズル孔２１とを連通する連通開口３７ａが形成されているので、保持筒３７を前記軸線Ｏ回りに回転させ、連通開口３７ａ及びノズル孔２１それぞれの、前記軸線Ｏ回りの位置を互いにずらすことにより、ノズル孔２１から流入した外気を発泡部材６０に当たりにくくすることが可能になり、発泡部材６０上で液体が固化するのを抑制することができる。
なお、保持筒３７の外周面における連通開口３７ａの開口周縁部が、全周にわたって押下ヘッド２の内筒部２２の内周面に当接している場合には、保持筒３７を前記軸線Ｏ回りに回転させ、連通開口３７ａ及びノズル孔２１それぞれの、前記軸線Ｏ回りの位置を互いにずらしたときに、発泡部材６０を、ノズル孔２１を通した外部に対して遮断することが可能になり、発泡部材６０上で液体が固化するのを確実に抑制することができる。
また、発泡部材６０が、保持筒３７の連通路３６内に着脱自在に配設されているので、発泡部材６０を保持筒３７から取り外して単独で洗浄することができる。
【００３８】
本発明は上記した実施の形態に限定されるものではなく、その趣旨を逸脱しない範囲で適宜変更可能である。
【００３９】
例えば前記実施形態では、保持筒３７を押下ヘッド２に着脱自在に装着する手段として、螺合を採用したが、これに限らず嵌合など適宜変更してもよい。
また、前記実施形態では、保持筒３７を上下方向に延設したが、例えば径方向に延設するなど適宜変更してもよい。
また、前記実施形態では、発泡部材６０を、保持筒３７の連通路３６内に着脱自在に配設したが、連通路３６内に固定状態で配設してもよい。
また、発泡部材６０として、筒体に網体が配設された構成を示したが、これに限らず適宜変更してもよい。
【００４０】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００４１】
１  フォーマポンプ
２  押下ヘッド
３  気液混合室
１０  ステム
１５  空気用シリンダ
１６  液用シリンダ
２１  ノズル孔
２５  頂壁部
３６  連通路
３７  保持筒
３８  つまみ片
４０  空気用ピストン
５０  液用ピストン
６０  発泡部材
Ｗ  容器本体
Ｗ１  口部
【図１】
2015009839.tif 000003
【図２】
2015009839.tif 000004
【図３】
2015009839.tif 000005